(57)【特許請求の範囲】
【請求項１】
軟弱地盤の地表面から基礎杭の上端に設けるフーチングの上面までの深さが、将来予想される地盤沈下量以上となるように、前記軟弱地盤から下層の硬質地盤に基礎杭を打設し、この基礎杭の上端にフーチングを設けて、このフーチングの上に柱を立設し、かつ、フーチングの上方を埋設空間として、該埋設空間を除く前記軟弱地盤の地表面にコンクリートを打設し、さらにフーチングの上方の埋設空間を除去可能な埋め込み材で埋めることを特徴とする軟弱地盤における建物基礎工法。
【請求項２】
軟弱地盤の地表面から基礎杭の上端に設けるフーチングの上面までの深さが、将来予想される地盤沈下量以上となるように、適宜間隔を以って各基礎杭を前記軟弱地盤から下層の硬質地盤に打設し、かつ各基礎杭の上端にフーチングを設け、かつ、各フーチングを繋ぐ地中梁を設け、さらに所望の前記フーチングの上に柱を立設し、かつ、各フーチングおよび各地中梁の上方を埋設空間として、該埋設空間を除く前記軟弱地盤の地表面にコンクリートを打設し、さらにフーチングおよび各地中梁の上方の埋設空間を除去可能な埋め込み材で埋めることを特徴とする軟弱地盤における建物基礎工法。
【発明の詳細な説明】
【０００１】
【発明の属する技術分野】
本発明は、海岸や海、河川、沼などを埋め立てた軟弱な地盤の上に建物を建てる場合の軟弱地盤における建物基礎工法に関する。
【０００２】
【従来の技術】
従来、埋立地などの軟弱地盤（水を含んでいる地盤）上に建物を建てる場合は、図５に示すように先ず軟弱地盤１から下層の硬質地盤（支持地盤）２まで軟弱地盤１内に杭３を打設し、杭３の上端３ａにコンクリートのフーチング４を設け、フーチング４上に柱５を立設し、地表に露出している軟弱地盤１およびフーチング４を覆うように土間コンクリート６を打設して建物の基礎を構築し、この基礎の上に建物を建てている。
【０００３】
【発明が解決しようとする課題】
このような場合、図６に示すように軟弱地盤１は経時的に圧密沈下を起こす。
例えば竣工後１年で約２５ｃｍ、沈下がほぼ収束する６年後で約９０ｃｍである。すると土間コンクリート６は、軟弱地盤１の圧密沈下に応じてその表面は沈下しないフーチング４の部分と、沈下する軟弱地盤１の部分とによって連続的な凹凸が生じ、建物と地表面との間に隙間が生じたり地表面が使用できなくなる。そのため、地表面に波打ち状の凹凸が生じた場合は、波打った土間コンクリート６を撤去し、新たに土間コンクリートを打設しなければならなかった。
【０００４】
本発明は前記のような点に鑑みて開発されたものであり、その目的とするところは、軟弱地盤の地表面に打設したコンクリートの不等沈下を防止でき、地表面の使用に支障をきたすことのない軟弱地盤における建物基礎工法を提供することにある。
【０００５】
【課題を解決するための手段】
本発明は、上記の目的を有効に達成するために、次のような構成にしてある。
すなわち、請求項１記載の本発明の軟弱地盤における建物基礎工は、軟弱地盤の地表面から基礎杭の上端に設けるフーチングの上面までの深さが、将来予想される地盤沈下量以上となるように、前記軟弱地盤から下層の硬質地盤に基礎杭を打設し、この基礎杭の上端にフーチングを設けて、このフーチングの上に柱を立設し、かつ、フーチングの上方を除く前記軟弱地盤の地表面にコンクリートを打設し、さらにフーチングの上方の埋設空間を除去可能な埋め込み材で埋めることを特徴とする構成である。
【０００６】
請求項２記載の本発明の軟弱地盤における建物基礎工法は、軟弱地盤の地表面から基礎杭の上端に設けるフーチングの上面までの深さが、将来予想される地盤沈下量以上となるように、適宜間隔を以って各基礎杭を前記軟弱地盤から下層の硬質地盤に打設し、かつ各基礎杭の上端にフーチングを設け、かつ、各フーチングを繋ぐ地中梁を設け、さらに所望の前記フーチングの上に柱を立設し、かつ、各フーチングおよび各地中梁の上方を除く前記軟弱地盤の地表面にコンクリートを打設し、さらにフーチングおよび各地中梁の上方の埋設空間を除去可能な埋め込み材で埋めることを特徴とする構成である。
【０００７】
【発明の実施の形態】
以下、本発明の実施の形態を図に基づいて説明する。なお、図中符号は前記説明と同一箇所については便宜上同一符号を使用する。
【０００８】
図１、図２は本発明の軟弱地盤における建物基礎工法を示す説明図であって、この建物基礎工法は、例えば海などの埋立地において、土砂などで埋め立てた軟弱地盤１の地表面１ａから基礎杭３の上端３ａに設けるフーチング４の上面４ａまでの深さＤが、将来予想される地盤沈下量以上となるように、前記軟弱地盤１から下層の硬質地盤２に基礎杭３を打設して基礎杭３の上端３ａにフーチング４を設ける。
【０００９】
そしてフーチング４の上には建設する建物の柱５を立設する。さらに、フーチング４の上方の埋設空間７を除く前記軟弱地盤１の地表面１ａにはコンクリート６を打設して覆い、前記埋設空間７は砂や小さなブロックなどを除去可能に少し固めた埋め込み材８で埋める。埋め込み材８の表面８ａは、コンクリート６の表面６ａと面一にする。
【００１０】
このようにして構築した建物基礎においては、日時の経過とともに徐々に軟弱地盤１は圧密沈下し、この沈下に伴って軟弱地盤１の地表面１ａを覆うコンクリート６も沈下する。しかし、コンクリート６は前記のようにフーチング４の上方を除く軟弱地盤１の地表面１ａに設けてあるため、軟弱地盤１とともには沈下しない埋め込み材８は軟弱地盤１およびコンクリート６の沈下した分だけコンクリート６の表面６ａよりも上に露出する。そのため、この露出した埋め込み材８はスコップなどで除去して、沈下したコンクリート６の表面６ａと削りとった埋め込み材８の削り表面８ｂ（図２参照）とが面一になるようにする。
【００１１】
このように軟弱地盤１の地表面１ａを覆うコンクリート６は、従来のようにフーチング４の上に重なって設けられていないため、軟弱地盤１の沈下にともなって全体が略均一に沈下し、波打ち状の凹凸になることがない。
【００１２】
次に図３、図４は本発明の軟弱地盤における建物基礎工法を示す他の例の説明図であって、この軟弱地盤における建物基礎工法は、前記の例と同様に軟弱地盤１の地表面１ａから基礎杭３の上端３ａに設けるフーチング４の上面４ａまでの深さＤが、将来予想される地盤沈下量以上となるように、適宜間隔を以って各基礎杭３を前記軟弱地盤１から下層の硬質地盤２に打設し、各基礎杭３の上端３ａにフーチング４を設ける．そして各フーチング４の間には、それぞれの地中梁９を設けて連結する。所望のフーチング４の上には柱５を立設し、各フーチング４および各地中梁９の上方の埋設空間７、１０を除く前記軟弱地盤１の地表面１ａにコンクリート６を打設する。さらにフーチング４および各地中梁９の上方の埋設空間７，１０は、前記した除去可能な埋め込み材８で埋める。各埋設空間７，１０に埋め込んだ埋め込み材８の表面８ａは、コンクリート６の表面６ａと面一になるようにする。
【００１３】
この例においても前記で説明したのと同様に日時の経過とともに徐々に軟弱地盤１は圧密沈下し、この沈下に伴って軟弱地盤１の地表面１ａを覆うコンクリート６も沈下する。しかし、コンクリート６は前記のようにフーチング４および地中梁９の上方を除く軟弱地盤１の地表面１ａに打設してあるため、沈下しない埋め込み材８は軟弱地盤１およびコンクリート６の沈下した分だけコンクリート６の表面６ａより上に露出する。この露出した埋め込み材８を除去することによって、沈下したコンクリート６の表面６ａは削りとった埋め込み材８の削り表面（図示省略）と面一にすることができる。
【００１４】
したがってコンクリート６は、従来のようにフーチング４および地中梁９の上に重なって設けられていないため、軟弱地盤１が沈下しても全体が略均一に降下して波打ち状の凹凸を生じることがない。
【００１５】
【発明の効果】
以上、前記の説明でも明らかなように本発明の軟弱地盤における建物基礎工法では、軟弱地盤の圧密沈下に伴って軟弱地盤の地表面に打設したコンクリートも略均一に沈下し、フーチングの上の埋め込み材を取除いてコンクリートの表面と埋め込み材の表面を面一とすることにより、コンクリートの表面である地表面を平坦に保つことができ、この基礎の上に建設した建物や、地表面の使用に支障をきたすといったことがない。
【００１６】
また、地中に設けたフーチングを地中梁で繋いだ建物の基礎においても、本発明の軟弱地盤における建物基礎工法により、前記効果と同様の効果を得ることができる。
【００１７】
【図面の簡単な説明】
【図１】本発明の軟弱地盤における建物基礎工法による竣工直後の状態を示す説明図である。
【図２】本発明の軟弱地盤における建物基礎工法による所定期間経過後の状態を示す説明図である。
【図３】本発明の軟弱地盤における建物基礎工法による他の例の竣工直後の状態を示す説明図である。
【図４】本発明の軟弱地盤における建物基礎工法による他の例の平面視の説明図である。
【図５】従来の軟弱地盤における建物基礎工法による竣工直後の状態を示す説明図である。
【図６】従来の軟弱地盤における建物基礎工法による所定期間経過後の状態を示す説明図である。
【符号の説明】
１  軟弱地盤
１ａ  地表面
２  硬質地盤
３  基礎杭
３ａ  上端
４  フーチング
４ａ  上面
Ｄ  深さ
５  柱
６  コンクリート
７  埋設空間
８  埋め込み材
９  地中梁
１０  埋設空間
【図１】
0004502343.tif 000002
【図２】
0004502343.tif 000003
【図３】
0004502343.tif 000004
【図４】
0004502343.tif 000005
【図５】
0004502343.tif 000006
【図６】
0004502343.tif 000007